(57)【要約】【課題】コンパクトカメラ用の撮影レンズとして好適な、物体側から負正正負の第１〜４ズ成分I〜IVを有し、Y/fが0.77より大きく、ＦＮＯが2.8より小さく、枚数が６〜７枚と少なく、レンズ径が小さくバックフォーカスが短いコンパクトな構成で、高性能な小型の大口径広角レンズを得る。【解決手段】物体側から、物体側に凹面を向けた凹レンズよりなる負の第１レンズ成分I、両凸レンズと凹レンズの接合レンズよりなる正の第２レンズ成分II、絞り２、周辺に向かうに従って凹のパワーが強まる非球面を持つ凹レンズと像側に凸面を向けた凸メニスカスレンズよりなる正の第３レンズ成分III、周辺に向かうに従って凹のパワーが弱まる非球面と周辺に向かうに従って凸のパワーが強まる非球面とを持つ凹レンズと物体側に凹面を向けた凹レンズよりなる負の第４レンズ成分IVを有し、(3)-2<f1/f<-0.95、(4)-1.1<f4/f<-0.7、等の条件式を満足する小型の大口径広角レンズである。【選択図】          図１
2005352060.tif 000002
【特許請求の範囲】
【請求項１】
物体側から順に、負の屈折力を有する第１レンズ成分I、正の屈折力を有する第２レンズ成分II、正の屈折力を有する第３レンズ成分III、および負の屈折力を有する第４レンズ成分IVを有し、
前記第１レンズ成分Iは、１枚の物体側に強い凹面を向けた凹レンズで構成され、
前記第２レンズ成分IIは、１枚の物体側に凸面を向けた凸レンズで構成されるか、または両凸レンズと凹レンズの２枚で構成され、
前記第３レンズ成分IIIは、少なくとも１枚の像側に凸面を向けた凸レンズを有し、かつ前記第３レンズ成分IIIは、少なくとも１面の非球面を含み、
前記第４レンズ成分IVは、少なくとも１枚の物体側に凹面を向けた凹レンズを有し、かつ前記第４レンズ成分IVは、少なくとも１面の非球面を含み、
下記条件式（１）および（２）を満足するように構成されたことを特徴とする小型の大口径広角レンズ。
１．７  ＜  ＦＮＯ  ＜  ２．８    ・・・（１）
０．７７  ＜  Ｙ／ｆ  ＜  １．１  ・・・（２）
但し、
ＦＮＯ  は  レンズのＦナンバ
Ｙ    は  結像面の最大像高
ｆ    は  焦点距離
【請求項２】
前記第２レンズ成分IIが、物体側より順に、両凸レンズと凹レンズとの接合レンズで構成されたことを特徴とする請求項１記載の小型の大口径広角レンズ。
【請求項３】
前記第３レンズ成分IIIが、非球面を持つ凹レンズIIIａおよび像側に強い凸面を向けた凸メニスカスレンズIIIｂで構成されたことを特徴とする請求項１または請求項２記載の小型の大口径広角レンズ。
【請求項４】
前記非球面を持つ凹レンズIIIａが、少なくとも１面の、周辺に向かうに従って凹のパワーが強くなる非球面を持つことを特徴とする請求項３記載の小型の大口径広角レンズ。
【請求項５】
前記第４レンズ成分IVが、非球面を持つレンズIVａおよび物体側に強い凹面を向けた凹レンズIVｂで構成されたことを特徴とする請求項１〜４のうちいずれか１項記載の小型の大口径広角レンズ。
【請求項６】
前記非球面を持つレンズIVａが、少なくとも１面の、周辺に向かうに従って凹のパワーが弱くなるか、周辺に向かうに従って凸のパワーが強くなる非球面を持つことを特徴とする請求項５記載の小型の大口径広角レンズ。
【請求項７】
前記非球面を持つレンズIVａがプラスチックレンズであることを特徴とする請求項５または６記載の小型の大口径広角レンズ。
【請求項８】
前記第１レンズ成分Iの焦点距離をｆ１、前記第４レンズ成分IVの焦点距離をｆ４としたとき、下記条件式（３）および（４）を満足するように構成されたことを特徴とする請求項１〜７のうちいずれか１項記載の小型の大口径広角レンズ。
−２      ＜  ｆ１／ｆ  ＜  −０．９５  ・・・（３）
−１．１  ＜  ｆ４／ｆ  ＜  −０．７    ・・・（４）
【請求項９】
前記第１レンズ成分Iの前記凹レンズのアッベ数をν１、前記第３レンズ成分IIIの前記像側に凸面を向けた凸レンズのうちの少なくとも１枚について、その屈折率をＮｄ３ｂ、アッベ数をν３ｂとするとき、下記条件式（５）〜（７）を満足するように構成されたことを特徴とする請求項１〜８のうちいずれか１項記載の小型の大口径広角レンズ。
ν１      ＜  ４５      ・・・（５）
Ｎｄ３ｂ  ＞  １．５５  ・・・（６）
ν３ｂ    ＞  ４０      ・・・（７）
【請求項１０】
前記第２レンズ成分IIと前記第３レンズ成分IIIと間に絞りを持つことを特徴とする請求項１〜９のうちいずれか１項記載の小型の大口径広角レンズ。
【請求項１１】
請求項１〜１０のうちいずれか１項記載の小型の大口径広角レンズを備えたことを特徴とするカメラ。
【発明の詳細な説明】
【技術分野】
【０００１】
この発明は、カメラの撮影レンズ、特に銀塩フィルム用カメラの撮像レンズとして好適な小型の大口径広角レンズに関する。
【背景技術】
【０００２】
一般に、コンパクトカメラ用のレンズでは、バックフォーカスが短く、沈胴時の大きさが小さいことが求められており、またレンズ径が小さいことも重要とされる。このようなレンズとして下記特許文献１〜４記載のものが知られている。例えば、特許文献１記載のものは、物体側より順に、負、正、正、負の４成分よりなり、Ｆ２．８／２８ｍｍ仕様で性能の良好な小型の広角レンズとされている。
【０００３】
【特許文献１】特開平９−２３６７４６号公報
【特許文献２】特開平１１−３２６７５６号公報
【特許文献３】特開２０００−３２１４９０号公報
【特許文献４】特開２００１−１２４９８５号公報
【発明の開示】
【発明が解決しようとする課題】
【０００４】
このようなタイプのレンズとして、上記従来例のものよりも、より広角でより大口径な仕様で、高性能なレンズが要望されている。特に近年、銀塩フィルム用カメラとして撮影時の補助光が届く距離であるか否かに拘らず人間の目と同様の明るさで写真を撮りたいという要望があり、これに応じて撮影レンズにおいても、明るく、諸収差を良好に補正し得るコンパクトなタイプのレンズ開発が急務とされていた。
【０００５】
本発明は、レンズ枚数が少なく、またレンズ径が小さく、バックフォーカスが短いコンパクトな構成でありながら、従来のものよりも、より広角でより大口径な仕様で高性能な小型の大口径広角レンズおよびこれを備えたカメラを提供することを目的とするものである。
【課題を解決するための手段】
【０００６】
本発明の小型の大口径広角レンズは、物体側から順に、負の屈折力を有する第１レンズ成分I、正の屈折力を有する第２レンズ成分II、正の屈折力を有する第３レンズ成分III、および負の屈折力を有する第４レンズ成分IVを有し、
前記第１レンズ成分Iは、１枚の物体側に強い凹面を向けた凹レンズで構成され、
前記第２レンズ成分IIは、１枚の物体側に凸面を向けた凸レンズで構成されるか、または両凸レンズと凹レンズの２枚で構成され、
前記第３レンズ成分IIIは、少なくとも１枚の像側に凸面を向けた凸レンズを有し、かつ前記第３レンズ成分IIIは、少なくとも１面の非球面を含み、
前記第４レンズ成分IVは、少なくとも１枚の物体側に凹面を向けた凹レンズを有し、かつ前記第４レンズ成分IVは、少なくとも１面の非球面を含み、
下記条件式（１）および（２）を満足するように構成されたことを特徴とするものである。
１．７  ＜  ＦＮＯ  ＜  ２．８    ・・・（１）
０．７７  ＜  Ｙ／ｆ  ＜  １．１  ・・・（２）
但し、
ＦＮＯ  は  レンズのＦナンバ
Ｙ    は  結像面の最大像高
ｆ    は  焦点距離
【０００７】
また、前記第２レンズ成分IIが、物体側より順に、両凸レンズと凹レンズとの接合レンズで構成されることが好ましい。
【０００８】
また、前記第３レンズ成分IIIが、非球面を持つ凹レンズIIIａおよび像側に強い凸面を向けた凸メニスカスレンズIIIｂで構成されることが好ましい。また、前記非球面を持つ凹レンズIIIａが、少なくとも１面の、周辺に向かうに従って凹のパワーが強くなる非球面を持つことが好ましい。
【０００９】
また、前記第４レンズ成分IVが、非球面を持つレンズIVａおよび物体側に強い凹面を向けた凹レンズIVｂで構成されることが好ましい。また、前記非球面を持つレンズIVａが、少なくとも１面の、周辺に向かうに従って凹のパワーが弱くなるか、周辺に向かうに従って凸のパワーが強くなる非球面を持つことが好ましい。また、前記非球面を持つレンズIVａがプラスチックレンズであることが好ましい。
【００１０】
また、前記第１レンズ成分Iの焦点距離をｆ１、前記第４レンズ成分IVの焦点距離をｆ４としたとき、下記条件式（３）および（４）を満足するように構成されることが好ましい。
−２      ＜  ｆ１／ｆ  ＜  −０．９５  ・・・（３）
−１．１  ＜  ｆ４／ｆ  ＜  −０．７    ・・・（４）
【００１１】
また、前記第１レンズ成分Iの前記凹レンズのアッベ数をν１、前記第３レンズ成分IIIの前記像側に凸面を向けた凸レンズのうちの少なくとも１枚について、その屈折率をＮｄ３ｂ、アッベ数をν３ｂとするとき、下記条件式（５）〜（７）を満足するように構成されることが好ましい。
ν１      ＜  ４５      ・・・（５）
Ｎｄ３ｂ  ＞  １．５５  ・・・（６）
ν３ｂ    ＞  ４０      ・・・（７）
【００１２】
また、前記第２レンズ成分IIと前記第３レンズ成分IIIと間に絞りを持つことが好ましい。
【００１３】
本発明のカメラは、上記いずれかの小型の大口径広角レンズを備えたことを特徴とするものである。
【発明の効果】
【００１４】
本発明の小型の大口径広角レンズによれば、物体側から順に、負の屈折力を有する第１レンズ成分I、正の屈折力を有する第２レンズ成分II、正の屈折力を有する第３レンズ成分III、および負の屈折力を有する第４レンズ成分IVを有し、第１〜４レンズ成分I〜IVに各々所定の形状のレンズを含み、第３レンズ成分IIIおよび第４レンズ成分IVに非球面を含むことにより、Ｆナンバが２．８より小さく大口径で、Ｙ／ｆが０．７７より大きい広角なレンズにおいて、レンズ枚数が６枚または７枚と少なく、レンズ径が小さく、バックフォーカスが短いコンパクトな構成でありながら、高性能を得ることができる。
【００１５】
また、本発明のカメラによれば本発明の小型の大口径広角レンズを備えることにより、大口径かつ広角な仕様であっても、コンパクトな構成で高性能を得ることができる。特に、銀塩フィルム用カメラの撮影レンズとして用いれば、人間の目に近づく明るさで画質も良好な写真を撮ることが可能となる。
【発明を実施するための最良の形態】
【００１６】
以下、本発明の小型の大口径広角レンズの実施形態について、図面を参照して説明する。図１は本発明の実施例１に係る小型の大口径広角レンズのレンズ構成を示すもので、代表としてこの図を用いて説明する。
【００１７】
本発明の小型の大口径広角レンズは、図１に示すように、物体側から順に、負の屈折力を有する第１レンズ成分I、正の屈折力を有する第２レンズ成分II、正の屈折力を有する第３レンズ成分III、および負の屈折力を有する第４レンズ成分IVを有している。そして、第１レンズ成分Iは、１枚の物体側に強い凹面を向けた凹レンズで構成され、第２レンズ成分IIは、１枚の物体側に凸面を向けた凸レンズで構成されるか、または両凸レンズと凹レンズの２枚で構成されている。図１では、第２レンズ成分IIは後者の構成とされている。なお、第１レンズ成分Iにおいて、「物体側に強い凹面を向けた」とは、物体側に凹面を向けるとともに、両面が凹面である場合には物体側に曲率の大きい面を向けていることを表すものである。
【００１８】
また、第３レンズ成分IIIは、少なくとも１枚の像側に凸面を向けた凸レンズを有し、かつ第３レンズ成分IIIは、少なくとも１面の非球面を含み、第４レンズ成分IVは、少なくとも１枚の物体側に凹面を向けた凹レンズを有し、かつ前記第４レンズ成分IVは、少なくとも１面の非球面を含んでいる。
【００１９】
第１レンズ成分Iおよび第２レンズ成分IIの負、正の屈折力に対称となるように、第３レンズ成分IIIおよび第４レンズ成分IVの屈折力が正、負の順に配置され、第１〜４レンズ成分I〜IVに各々所定の形状のレンズを含み、上記第３レンズ成分IIIおよび第４レンズ成分IVに含まれる非球面が収差補正に有効に作用することにより、この大口径広角レンズは、大口径かつ広角な仕様であっても、コンパクトな構成で高性能を得ることができる。なお、第２レンズ成分IIと第３レンズ成分IIIと間で周辺光束の主光線が光軸に近づくように設定し、その近傍に絞りを持つことが好ましく、この絞りに関して第１レンズ成分Iおよび第２レンズ成分IIならびに第３レンズ成分IIIおよび第４レンズ成分IVの屈折力が対称となるように配することにより、良好な光学性能を得ることができる。
【００２０】
さらに、この小型の大口径広角レンズは、下記条件式（１）および（２）を満足するように構成されている。
１．７  ＜  ＦＮＯ  ＜  ２．８    ・・・（１）
０．７７  ＜  Ｙ／ｆ  ＜  １．１  ・・・（２）
但し、
ＦＮＯは  レンズのＦナンバ
Ｙ    は  結像面の最大像高
ｆ    は  焦点距離
【００２１】
上記条件式（１）および（２）は、各々この小型の大口径広角レンズのＦナンバと焦点距離に対する最大像高とを規定するものであり、このレンズの目的に対応する基本的な構成要件といってよいものである。条件式（１）の数値範囲は、大口径レンズであることを具体的数値により示すものである。この上限値を越えると、目的である大口径レンズを満足しなくなり、この下限値を下回ると、大口径になりすぎて収差の補正が困難となる。条件式（２）の数値範囲は、広角レンズであることを具体的数値により示すものである。この上限値を越えると、画角が広すぎ収差が補正しきれなくなり、この下限値を下回ると、目的である広角レンズを満足しなくなる。
【００２２】
換言すれば、本発明は、条件式（１）および（２）の条件を満足するような大口径で広角なレンズにおいて、コンパクトな構成でありながら良好な光学性能を達成し得たことに、その意義がある。
【００２３】
また、上記第２レンズ成分IIが両凸レンズと凹レンズの２枚で構成されている場合には、図１に示されるように、物体側より順に、両凸レンズ（図１において第２レンズＬ２）と凹レンズ（図１において第３レンズＬ３）との接合レンズで構成されることが好ましい。本発明のように広角なレンズにおいては、画角周辺部からの入射角の大きい光束が、レンズ面で全反射すると性能に悪影響を及ぼす虞がある。接合レンズを用いることにより全反射を防止することができる。
【００２４】
また、前記第３レンズ成分IIIは、非球面を持つ凹レンズIIIａおよび像側に強い凸面を向けた凸メニスカスレンズIIIｂで構成されることが好ましい。なお、凸メニスカスレンズIIIｂにおいて、「像側に強い凸面を向けた」とは、像側に凸面を向けるとともに、両面が凸面である場合には像側に曲率の大きい面を向けていることを表すものである。図１では、第４レンズＬ４が凹レンズIIIａ、第５レンズＬ５が凸メニスカスレンズIIIｂに相当する。コンパクトなレンズ系とするためにはレンズ枚数を極力少なくすることが重要となるが、このような構成によれば第３レンズ成分IIIを、光学性能の劣化を防止しながら２枚構成とすることができる。
【００２５】
さらに、前記非球面を持つ凹レンズIIIａが、少なくとも１面の、周辺に向かうに従って凹のパワーが強くなる非球面を持つように構成することにより、凸メニスカスレンズIIIｂの、像側の強い凸面で発生する諸収差を有効に補正することができる。特に、球面収差を良好に補正することが可能となる。
【００２６】
また、前記第４レンズ成分IVは、非球面を持つレンズIVａおよび物体側に強い凹面を向けた凹レンズIVｂで構成されることが好ましい。なお、凹レンズIVｂにおいて、「物体側に強い凹面を向けた」とは、物体側に凹面を向けるとともに、両面が凹面である場合には物体側に曲率の大きい面を向けていることを表すものである。図１では、第６レンズＬ６がレンズIVａ、第７レンズＬ７が凹レンズIVｂに相当する。第３レンズ成分IIIの場合と同様に、このような構成によれば第４レンズ成分IVを、光学性能の劣化を防止しながら２枚構成とし、コンパクトなレンズ系とすることができる。なお、レンズIVａの屈折力は正、負いずれでもよく、また、ほとんど屈折力の無いものとされていてもよい。
【００２７】
さらに、前記非球面を持つレンズIVａが、少なくとも１面の、周辺に向かうに従って凹のパワーが弱くなるか、周辺に向かうに従って凸のパワーが強くなる非球面を持つように構成することにより、凹レンズIVｂの、物体側の強い凹面で発生する諸収差を有効に補正することができる。特に、球面収差を良好に補正することが可能となる。このレンズIVａは、いずれか一方の面が上記いずれかの特性を持つ非球面とされていてもよいし、両面がこのような非球面とされていればさらに効果が高い。また、この非球面を持つレンズIVａはプラスチックレンズであることが好ましい。非球面を低コストで形成可能であることに加え、レンズIVａはこのレンズ系中で比較的径の大きなレンズとなるので、軽量化とコスト低減に効果的である。
【００２８】
また、この小型の大口径広角レンズは、前記第１レンズ成分Iの焦点距離をｆ１、前記第４レンズ成分IVの焦点距離をｆ４としたとき、下記条件式（３）および（４）を満足するように構成されることが好ましい。
−２      ＜  ｆ１／ｆ  ＜  −０．９５  ・・・（３）
−１．１  ＜  ｆ４／ｆ  ＜  −０．７    ・・・（４）
【００２９】
上記条件式（３）の上限値を越えると、第１レンズ成分Iで発生するコマ収差が大きくなりすぎ補正しきれなくなる。また、上記条件式（３）の下限値を下回ると、広角レンズに必要なレンズ前側の負のパワーが弱くなり、所望の広画角に構成することが困難となる。
【００３０】
上記条件式（４）の上限値を越えると、第４レンズ成分IVのパワーが強くなりすぎて像面湾曲収差の補正が困難となる。また、上記条件式（４）の下限値を下回ると、第１レンズの物体側の面から結像面（図１においてフィルム面１）までの長さが長くなり、コンパクト化が困難となる。上述のとおり第１レンズ成分Iと第４レンズ成分IVとは、互いに対象となる位置に配された負の屈折力を有するレンズ群であり、条件式（３）および（４）をともに満足するパワーバランスが良好な光学性能を得るために肝要である。
【００３１】
なお、上記条件式（３）および（４）に代えて、より数値範囲を限定した条件式（３Ａ）および（４Ａ）を満足することにより、上記作用効果を更に有効とすることができる。
−１．７    ＜  ｆ１／ｆ  ＜  −１      ・・・（３Ａ）
−１．０    ＜  ｆ４／ｆ  ＜  −０．８  ・・・（４Ａ）
【００３２】
さらに、この小型の大口径広角レンズは、前記第１レンズ成分Iの前記凹レンズのアッベ数をν１、前記第３レンズ成分IIIの前記像側に凸面を向けた凸レンズのうちの少なくとも１枚について、その屈折率をＮｄ３ｂ、アッベ数をν３ｂとするとき、下記条件式（５）〜（７）を満足するように構成されることが好ましい。
ν１      ＜  ４５      ・・・（５）
Ｎｄ３ｂ  ＞  １．５５  ・・・（６）
ν３ｂ    ＞  ４０      ・・・（７）
【００３３】
上記条件式（５）の数値範囲を満足しない場合は、倍率色収差と軸上色収差のバランスが崩れ、補正が困難となる。また、上記条件式（６）の数値範囲を満足しない場合は、正の屈折力を持つ第３レンズ成分III（以下の実施例ではいずれも、第３レンズ成分IIIが第２レンズ成分IIよりも強い正の屈折力を持っている）で発生する球面収差が増え、補正が困難となる。また、上記条件式（７）の数値範囲を満足しない場合は、倍率色収差と軸上色収差のバランスが崩れ、補正が困難となる。
【００３４】
なお、上記条件式（５）〜（７）に代えて、より数値範囲を限定した条件式（５Ａ）〜（７Ａ）を満足することにより、上記作用効果を更に有効とすることができる。
ν１      ＜  ３５      ・・・（５Ａ）
Ｎｄ３ｂ  ＞  １．６５  ・・・（６Ａ）
ν３ｂ    ＞  ５０      ・・・（７Ａ）
【００３５】
つぎに、本発明の小型の大口径広角レンズ３つの実施例について具体的に説明する。各実施例の説明において同一の要素には同一の符号を付し、重複する説明については省略する。
【００３６】
＜実施例１＞
実施例１に係る小型の大口径広角レンズを図１に示す。この小型の大口径広角レンズは、図１に示すように、物体側から順に、負の屈折力を有する第１レンズ成分I、正の屈折力を有する第２レンズ成分II、絞り２、正の屈折力を有する第３レンズ成分III、および負の屈折力を有する第４レンズ成分IVを有し、物体側から入射した光束を、結像面であるフィルム面１上に効率良く集束させるものである。
【００３７】
第１レンズ成分Iは、物体側に曲率の大きい面を向けた両凹レンズからなる第１レンズＬ１で構成される。第２レンズ成分IIは、物体側に曲率の大きい面を向けた両凸レンズからなる第２レンズＬ２と像側に凸面を向けた負メニスカスレンズからなる第３レンズＬ３との接合レンズで構成される。第３レンズ成分IIIは、物体側に凸面を向けた両面を非球面とされた負メニスカスレンズからなる第４レンズＬ４、および像側に凸面を向けた正メニスカスレンズからなる第５レンズＬ５で構成される。第４レンズ成分IVは、像側に凸面を向けた両面を非球面とされた負メニスカスレンズからなる第６レンズＬ６、および物体側に曲率の大きい面を向けた両凹レンズからなる第７レンズＬ７で構成される。
【００３８】
なお、各非球面は、下記非球面式により表される。本実施例の非球面では、近年の光学系に対する高解像力化の要請およびコンピュータ性能の向上等の社会的事情を背景として、従来の低次の偶数次項のみならず、奇数次項をも用いて２０次までの係数により非球面形状を規定している。このように、奇数次項を含む非球面係数を用いることにより、非球面形状を決定するパラメータが増加するため、この非球面の光軸を含む中央領域と、周辺領域との各形状をそれぞれ独立して決定することが可能となり、中央領域および周辺領域共に、良好に収差補正を行うことが可能な形状に形成することが可能となる。
【００３９】
【数１】
2005352060.tif 000003
【００４０】
このような非球面式により、第４レンズＬ４は、周辺に向かうに従って凹のパワーが強くなる非球面を有するレンズとされ、第６レンズＬ６は、周辺に向かうに従って凹のパワーが弱くなる凹の非球面と周辺に向かうに従って凸のパワーが強くなる凸の非球面とを有するレンズとされている。
【００４１】
表１に、この小型の大口径広角レンズの各レンズ面の曲率半径Ｒ（ｍｍ）、各レンズの中心厚および各レンズ間の空気間隔（以下、これらを総称して軸上面間隔という）Ｄ（ｍｍ）、各レンズのｄ線における、屈折率Ｎおよびアッベ数νの値を示す。なお、表１および以下の表４、表７において、表中の数字は物体側からの順番を表すものである。また、表１の最上段に、この小型の大口径広角レンズのＦＮＯ、焦点距離ｆ（ｍｍ）、バックフォーカスＢｆ（ｍｍ）および半画角ωの値を示す。
【００４２】
また、実施例1の小型の大口径広角レンズにおいて、絞り２は、第２レンズ成分IIと第３レンズ成分IIIと間で周辺光束の主光線が光軸に近づく位置の近傍に配されており、第４レンズＬ４の物体側の面から物体側に0.90ｍｍの位置にある。
【００４３】
また、表２に、上記各非球面について、上記非球面式の各定数ＫＡ、Ａ３〜Ａ２０の値を示す。また、表３に、本実施例における、前述した各条件式（１）〜（７）に対応する値を示す。本実施例において、前述した条件式（１）〜（７）は全て満足されている。
【００４４】
【表１】
2005352060.tif 000004
【００４５】
【表２】
2005352060.tif 000005
【００４６】
【表３】
2005352060.tif 000006
【００４７】
＜実施例２＞
実施例２に係る小型の大口径広角レンズを図２に示す。この小型の大口径広角レンズは、図２に示すように、実施例１のものと略同様の構成とされているが、第１レンズＬ１が像側に凸面を向けた負メニスカスレンズからなり、第３レンズＬ３が物体側に曲率の大きい面を向けた両凹レンズからなる点が異なっている。
【００４８】
表４に、この小型の大口径広角レンズの各レンズ面の曲率半径Ｒ（ｍｍ）、各レンズの軸上面間隔Ｄ（ｍｍ）、各レンズのｄ線における、屈折率Ｎおよびアッベ数νの値を示す。また、表４の最上段に、この小型の大口径広角レンズのＦＮＯ、焦点距離ｆ（ｍｍ）、バックフォーカスＢｆ（ｍｍ）および半画角ωの値を示す。また、実施例２の小型の大口径広角レンズにおいて、絞り２は第４レンズＬ４の物体側の面から物体側に0.90ｍｍの位置にある。
【００４９】
また、表５に、上記各非球面について、上記非球面式の各定数ＫＡ、Ａ３〜Ａ２０の値を示す。また、表６に、本実施例における、前述した各条件式（１）〜（７）に対応する値を示す。本実施例において、前述した条件式（１）〜（７）は全て満足されている。
【００５０】
【表４】
2005352060.tif 000007
【００５１】
【表５】
2005352060.tif 000008
【００５２】
【表６】
2005352060.tif 000009
【００５３】
＜実施例３＞
実施例３に係る小型の大口径広角レンズを図３に示す。この小型の大口径広角レンズは、図３に示すように、物体側から順に、実施例１のものと略同様となるように正または負の屈折力を有する第１〜４レンズ成分I〜IVおよび絞り２を有し、物体側から入射した光束を、結像面であるフィルム面１上に効率良く集束させるものである。第２レンズ成分IIが１枚構成となっている点が実施例１のものとの主な相違点である。
【００５４】
第１レンズ成分Iは、像側に凸面を向けた負メニスカスレンズからなる第１レンズＬ１で構成される。第２レンズ成分IIは、物体側に曲率の大きい面を向けた両凸レンズからなる第２レンズＬ２で構成される。第３レンズ成分IIIは、物体側に曲率の大きい面を向けた両面を非球面とされた両凹レンズからなる第３レンズＬ３および像側に凸面を向けた正メニスカスレンズからなる第４レンズＬ４で構成される。第４レンズ成分IVは、物体側に曲率の大きい面を向けた両面を非球面とされた両凹レンズからなる第５レンズＬ５および物体側に曲率の大きい面を向けた両凹レンズからなる第６レンズＬ６で構成される。
【００５５】
表７に、この小型の大口径広角レンズの各レンズ面の曲率半径Ｒ（ｍｍ）、各レンズの軸上面間隔Ｄ（ｍｍ）、各レンズのｄ線における、屈折率Ｎおよびアッベ数νの値を示す。また、表７の最上段に、この小型の大口径広角レンズのＦＮＯ、焦点距離ｆ（ｍｍ）、バックフォーカスＢｆ（ｍｍ）および半画角ωの値を示す。また、実施例３の小型の大口径広角レンズにおいて、絞り２は第３レンズＬ３の物体側の面から物体側に1.50ｍｍの位置にある。
【００５６】
また、表８に、上記各非球面について、上記非球面式の各定数ＫＡ、Ａ３〜Ａ２０の値を示す。ただし、第３レンズＬ３の両面である第５面と第６面とは、１０次までの偶数次項および奇数次項の係数により規定される非球面形状とされている。このような非球面式により、第３レンズＬ３は、周辺に向かうに従って凹のパワーが強くなる非球面を有するレンズとされ、第５レンズＬ５は、周辺に向かうに従って凹のパワーが弱くなる非球面と周辺に向かうに従って凸のパワーが強くなる非球面とを有するレンズとされている。
【００５７】
また、表９に、本実施例における、前述した各条件式（１）〜（７）に対応する値を示す。本実施例において、前述した条件式（１）〜（７）は全て満足されている。
【００５８】
【表７】
2005352060.tif 000010
【００５９】
【表８】
2005352060.tif 000011
【００６０】
【表９】
2005352060.tif 000012
【００６１】
図４〜６は上記実施例１〜３に係る小型の大口径広角レンズの諸収差（球面収差、非点収差、ディストーション、倍率色収差およびコマ収差）を示す収差図である。なお、各球面収差図には、Ｃ線、ｄ線、ｇ線における収差が示されており、各非点収差図には、サジタル像面およびタンジェンシャル像面に対する収差が示されている。この図４〜６から明らかなように、実施例１〜３に係る小型の大口径広角レンズによれば、Ｆ１．９６〜２．４２／２４ｍｍ仕様の大口径で広角なレンズでありながら、全画角領域に亘って良好な収差補正がなされている。
【００６２】
なお、本発明の小型の大口径広角レンズとしては上記実施例のものに限られるものではなく、種々の態様の変更が可能である。例えば各レンズ群を構成するレンズの枚数や形状は適宜選択し得る。
【００６３】
また、本発明に係る小型の大口径広角レンズを備えたカメラによれば、この小型の大口径広角レンズと同様の作用効果を得ることができる。この小型の大口径広角レンズはバックフォーカスが短く、沈胴時の大きさが小さく、またレンズ径が小さいので、コンパクトカメラ用のレンズとしても好適である。
【００６４】
なお、上記実施例のものは結像面をフィルム面として示したが、これに限られるものではなく、本発明に係る小型の大口径広角レンズを用いて例えばＣＣＤに結像させるカメラとしてもよい。
【図面の簡単な説明】
【００６５】
【図１】本発明の実施例１に係る小型の大口径広角レンズの構成を表す図
【図２】本発明の実施例２に係る小型の大口径広角レンズの構成を表す図
【図３】本発明の実施例３に係る小型の大口径広角レンズの構成を表す図
【図４】実施例１の小型の大口径広角レンズの諸収差を示す収差図
【図５】実施例２の小型の大口径広角レンズの諸収差を示す収差図
【図６】実施例３の小型の大口径広角レンズの諸収差を示す収差図
【符号の説明】
【００６６】
１      フィルム面
２      絞り
I、II、III、IV      レンズ成分
Ｌ１〜Ｌ７  レンズ
Ｒ１〜Ｒ１３  レンズ面等
Ｄ１〜Ｄ１２  軸上面間隔
Ｘ      光軸
【図１】
2005352060.tif 000013
【図２】
2005352060.tif 000014
【図３】
2005352060.tif 000015
【図４】
2005352060.tif 000016
【図５】
2005352060.tif 000017
【図６】
2005352060.tif 000018